(57)【要約】【課題】            生産性を向上した筆記具用クリップ取付構造を提供する。【解決手段】        軸筒１０に対し一体的に設けられるクリップ支持部材３０と、該クリップ支持部材３０によって支持されるクリップ４０とを備え、前記クリップ４０の後部に対する押圧操作により同クリップ４０の前部を軸筒１０から離間させるようにした筆記具用クリップ取付構造であって、前記クリップ支持部材３０は、前記クリップ４０を支持する支持部３２と、該支持部３２よりも後方側で前記クリップ４０の後部を軸筒遠心方向へ付勢する弾性部３３とを一体成形している。【選択図】          図１
2008173921.tif 000002
【特許請求の範囲】
【請求項１】
軸筒に対し一体的に設けられるクリップ支持部材と、該クリップ支持部材によって支持されるクリップとを備え、前記クリップの後部に対する押圧操作により同クリップの前部を軸筒から離間させるようにした筆記具用クリップ取付構造であって、
前記クリップ支持部材は、前記クリップを支持する支持部と、該支持部よりも後方側で前記クリップの後部を軸筒遠心方向へ付勢する弾性部とを一体成形していることを特徴とする筆記具用クリップ取付構造。
【請求項２】
上記クリップ支持部材には、軸筒に対し接続される軸筒接続部が一体成形され、
該軸筒接続部は、軸筒の後端開口部に挿入され固定、又は軸筒の後端外周面に環状に固定されるように形成されていることを特徴とする請求項１記載の筆記具用クリップ取付構造。
【請求項３】
上記弾性部は、弾性的に撓むように延設され、その突端側により上記クリップの後部を受けていることを特徴とする請求項１又は２記載の筆記具用クリップ取付構造。
【請求項４】
上記クリップに軸筒側へ突出する両側部を形成するとともに、上記支持部を前記両側部間に挿入可能に突設し、
上記クリップの前記各側部の内面と、対向する上記支持部の側面とを、凹部と凸部によって嵌め合わせて支点部を構成したことを特徴とする請求項１乃至３何れか１項記載の筆記具用クリップ取付構造。
【請求項５】
上記クリップ支持部材の後端部と上記クリップの後端部とを、撓み可能な接続部を介して接続して一体成形し、
前記接続部を撓ませながら上記クリップを回動させて上記支持部に嵌め合わせるようにしたことを特徴とする請求項１乃至４何れか１項記載の筆記具用クリップ取付構造。
【発明の詳細な説明】
【技術分野】
【０００１】
本発明は、筆記具後端部に対する摘み操作により、クリップ先端側を軸筒に対し接近離間できるようにした筆記具用クリップ取付構造に関するものである。
【背景技術】
【０００２】
従来、この種の発明には、例えば特許文献１に記載されているように、軸筒（筒体１０）に対し略Ｕ字上の挟みバネ（２０）の一端側を嵌合し、該挟みバネ（２０）の他端側と軸筒（筒体１０）の外周面との間にクリップ３０を挟むようにして支持したものがある。
しかしながら、上記従来技術によれば、軸筒（筒体１０）に比較して小さな挟みバネ（２０）を嵌め合わせる作業が困難な上、小さな挟みバネ（２０）を紛失し易い等、製造性の改善が求められていた。
【０００３】
また、この種の関連技術としては、例えば特許文献２に記載された発明のように、クリップ（５）の後端側と軸筒（２）との間に弾性体（１０）を嵌め合わせ、該弾性体（１０）の弾発力によりクリップ（５）の前端側を閉じるようにしたものがある。しかし、この従来技術においても、弾性体（１０）を嵌め合わせる作業が困難であるという製造性の問題を有している。
【０００４】
更に、他の関連技術としては、例えば特許文献３に記載された発明のように、クリップ本体（４）とホルダー本体（５）を揺動可能な屈曲片（６）で連結し、クリップ基端（７）、屈曲片（６）及び支持基端（８）の外周を軟質被覆層（１３）で被覆するとともにクリップ本体（４）と支持基端（８）間を一体的な弾性連結部（１４）で連結したものがある。
しかしながら、この従来技術においても、軟質被覆層（１３）や弾性連結部（１４）を成形するために、インサート成形等の複雑な成形技術を用いなければならない。その上、構造的には、屈曲片（６）における支持基端（８）側の曲げ部分に荷重が集中し易いので、クリップ（１）が繰り返し開閉操作された際には、前記曲げ部分の破損が懸念される。
【特許文献１】特開２００１−１４６０９４号公報
【特許文献２】特開２００５−３１３３２９号公報
【特許文献３】特開２００６−３１５１７９号公報
【発明の開示】
【発明が解決しようとする課題】
【０００５】
本発明は上記従来事情に鑑みてなされたものであり、その課題とする処は、生産性を向上した筆記具用クリップ取付構造を提供することにある。
【課題を解決するための手段】
【０００６】
上記課題を解決するために第一の発明は、軸筒に対し一体的に設けられるクリップ支持部材と、該クリップ支持部材によって支持されるクリップとを備え、前記クリップの後部に対する押圧操作により同クリップの前部を軸筒から離間させるようにした筆記具用クリップ取付構造であって、前記クリップ支持部材は、前記クリップを支持する支持部と、該支持部よりも後方側で前記クリップの後部を軸筒遠心方向へ付勢する弾性部とを一体成形していることを特徴とする。
【０００７】
また、第二の発明では、上記クリップ支持部材には、軸筒に対し接続される軸筒接続部が一体成形され、該軸筒接続部は、軸筒の後端開口部に挿入され固定、又は軸筒の後端外周面に環状に固定されるように形成されていることを特徴とする。
【０００８】
ここで、上記軸筒接続部を上記軸筒の後端側で固定する手段には、例えば、嵌合や、接着、ねじ込み、溶着等を含む。
【０００９】
また、第三の発明では、上記弾性部は、弾性的に撓むように延設され、その突端側により上記クリップの後部を受けていることを特徴とする。
【００１０】
また、第四の発明では、上記クリップに軸筒側へ突出する両側部を形成するとともに、上記支持部を前記両側部間に挿入可能に突設し、上記クリップの前記各側部の内面と、対向する上記支持部の側面とを、凹部と凸部によって嵌め合わせて支点部を構成したことを特徴とする。
【００１１】
また、第五の発明では、上記クリップ支持部材の後端部と上記クリップの後端部とを、撓み可能な接続部を介して接続して一体成形し、前記接続部を撓ませながら上記クリップを回動させて上記支持部に嵌め合わせるようにしたことを特徴とする。
【発明の効果】
【００１２】
本発明は、以上説明したように構成されているので、以下に記載されるような作用効果を奏する。
第一の発明によれば、軸筒に設けられるクリップ支持部材に対し、クリップを嵌め合わせるという簡単な作業によって、クリップ後部を軸筒遠心方向へ付勢するための弾性部も組み付けられることになる。
したがって、生産性を向上した筆記具用クリップ取付構造を提供することができる。
【００１３】
更に、第二の発明によれば、軸筒に対しクリップ支持部材を固定する作業を容易に行うことができる。しかも、軸筒に対しクリップを確りと固定できる上、軸筒後端部の強度を、内在又は環状に具備される軸筒接続部により向上することも可能である。
【００１４】
更に、第三の発明によれば、クリップ支持部材に対しクリップを嵌め合わせれば、そのクリップの後部が、後方へ突出する弾性部の突端側により受けられる。
クリップ後端側を軸筒求心方向へ押圧すれば、弾性部が弾性的に撓み、クリップ前端側が軸筒から離間して開放する。また、前記押圧力が解除されると、弾性部が弾性的に復元するため、クリップ後端側が弾性部により遠心方向へ押圧されて、クリップ前端側が軸筒方向へ揺動する。
したがって、クリップ後端側を軸筒遠心方向へ付勢する弾性部を、製造性および耐久性の良好な態様とすることができる。
【００１５】
更に、第四の発明によれば、クリップの両側部間に支持部を挿入すれば、各側部と支持部の側面との間の凹部と凸部が嵌り合い、支点部が構成される。
よって、より製造性に優れた筆記具用クリップ取付構造とすることができる。
【００１６】
更に、第五の発明によれば、クリップ支持部材とクリップとが一体成形されているため、部品点数が減る上、接続部を撓ませながらクリップを回動させて支持部に嵌め合わせればよいので、その作業性も良好である。
【発明を実施するための最良の形態】
【００１７】
以下、本発明の実施の形態を図面に基づいて説明する。
図１は、本発明に係わる筆記具用クリップ取付構造の一例を備えた筆記具Ａを示している。
筆記具Ａは、軸筒１０後端側のノック操作によりボールペンリフィール２０先端の筆記部（図示せず）を出没させるようにした出没式ボールペンであり、軸筒１０の後端側には、クリップ支持部材３０およびクリップ４０を装着している。
【００１８】
軸筒１０は、長尺筒状を呈し、その後端部に、後述するクリップ支持部材３０の支持部３２を露出させるための切欠部１１（図３参照）を有する。
切欠部１１は、前記支持部３２を後方から嵌め合わせるようにした凹状の切欠であり、クリップ支持部材３０の支持部３２を軸筒遠心方向へ突出させるとともに、クリップ支持部材３０が軸筒周方向へ回転してしまうのを防いでいる。
また、軸筒１０の内周面には、後方から挿入されるクリップ支持部材３０を乗り越え嵌合させる凸部１２が形成されている。この凸部１２は、軸筒１０の内周面に環状に設けてもよいし、周方向において適宜間隔を置いて配置されていてもよい。
【００１９】
また、クリップ支持部材３０は、軸筒１０の後端開口部に挿入されて嵌合固定される軸筒接続部３１と、該軸筒接続部３１の外周面から遠心方向へ突出する支持部３２と、該支持部３２から後方へ延設された弾性部３３とを一体成形している。
また、このクリップ支持部材３０の内部には、後方へ突出するノック操作部３４ａへのノック操作によりボールペンリフィール２０を進退させるリフィール進退機構３４が構成されている。
【００２０】
軸筒接続部３１は、前側の小径部３１ａと後側の大径部３１ｂとからなる略段付筒状を呈し、小径部３１ａを軸筒１０の後端開口部に挿入するように構成してある。
小径部３１ａの前側には、軸筒接続部３１が軸筒１０内に挿入された際に、軸筒１０内周面の凸部１２に対し乗り越え嵌合する環状凸部３１ａ１が形成されている。
また、大径部３１ｂは、前記小径部３１ａが軸筒１０に挿入された際に、軸筒１０後端面に当接して軸筒１０後方へ露出される部分である。
【００２１】
また、支持部３２は、前記小径部３１ａの後端側から遠心方向へ突出して設けられている。
この支持部３２は、図示例によれば略半円筒状に形成され、その両側面の各々には、凸部３２ａが形成されている。この凸部３２ａは、クリップ４０を回動させるための支点部を構成するように、軸筒接続部３１の中心線に対し略直交して突出しており、その突端側が略半球状に形成されている。
【００２２】
また、弾性部３３は、支持部３２から後方斜め上方へ延びる略板状を呈し、クリップ４０からの押圧力により軸筒中心側へ撓むように、その肉厚および材質等が適宜に設定されている。
図示例によれば、弾性部３３は、軸筒接続部３１および支持部３２と一体成形される部品であり、例えば、ＰＥＴ（ポリエチレンテレフタレート）、ＰＣ（ポリカーボネート）、ＰＰ（ポリプロピレン）、ＰＯＭ（ポリアセタール）、ＧＦＲＰ（ガラス繊維強化プラスチック）等、弾性的に撓むことが可能な合成樹脂材料からなる。
なお、弾性部３３は、二重成形によって軸筒接続部３１及び支持部３２とは異なる合成樹脂材料とすることも可能であり、この場合には、軸筒接続部３１及び支持部３２よりも弾性の高い合成樹脂材料とするのが好ましい。
【００２３】
また、リフィール進退機構３４は、小径部３１ａ及び大径部３１ｂの内周面に形成されるスライド溝３１ｃ、該スライド溝３１ｃに案内されて進退するノック操作部３４ａ、該ノック操作部３４ａ前端面の傾斜面に係合して回転する回転子３４ｂ、該回転子３４ｂ及び該回転子３４ｂ内に嵌合されたボールペンリフィール２０を後方へ付勢するスプリング３４ｃ、該スプリング３４ｃを前方側から受ける受け部材３４ｄ等によって構成された周知の進退機構（例えば特開2004-209881参照）である。
このリフィール進退機構３４によれば、ノック操作部３４ａに対する後方からのノック操作により、内在するボールペンリフィール２０の筆記部（図示せず）が突出した位置に係止したり没入したりする。
【００２４】
また、クリップ４０は、軸筒１０の軸方向に沿う略平板状の表面部４１と、該表面部４１の両側端から軸筒１０側へ突出する両側部４２，４２とを備え、クリップ支持部材３０の支持部３２に嵌め合わせられ支持されている。
表面部４１は、その裏面側の前端側に、軸筒１０の外周面に近接又は当接する単数もしくは複数の玉部４１ａを有する。
各側部４２の後端側は、軸筒１０側へ隆起するように形成され、その隆起した部分の内側には、支持部３２の凸部３２ａに対し嵌り合うように凹部４２ａが形成されている。
また、前記隆起部分と突端部４２ｂは、軸筒１０又は軸筒接続部３１の外周面に近接または接触するように配設されることで、クリップ４０に対し軸筒求心方向の過剰な外力が加わって、凹部４２ａと凸部３２ａとの嵌合が外れてしまうのを防ぐようにしている。
【００２５】
また、クリップ４０の最後端部には、弾性部３３の突端に嵌り合うように凹部４３が形成されている（図１参照）。
この凹部４３は、軸筒径方向の遊びを有する状態で弾性部３３の突端に嵌り合うことで、クリップ４０の支持部３２に対する組付け性を良好にする。
【００２６】
次に、上記筆記具Ａの組み立て手順の一例について詳述する。
先ず、軸筒接続部３１内に、ノック操作部３４ａ、回転子３４ｂ、スプリング３４ｃ、受け部材３４ｄ等が組付けられることで、リフィール進退機構３４を内在するクリップ支持部材３０が構成される。
次に、このクリップ支持部材３０は、図３（ａ）に示すように、軸筒１０の後端開口部に対して挿入される。
この際、支持部３２が軸筒１０後端の切欠部１１に嵌り合うことで、クリップ支持部材３０の周方向の回転が規制され、前記嵌り合いと略同時に、軸筒接続部３１前端側の環状凸部３１ａ１が軸筒１０内周面の凸部１２に乗り越え嵌合する。したがって、クリップ支持部材３０の後方への抜けが防止される。
【００２７】
そして、図３（ｂ）に示すように、支持部３２及び弾性部３３に対しクリップ４０を被せ、クリップ４０後端の凹部４３を弾性部３３の後端部に遊嵌し、クリップ４０の側部４２内面の凹部４２ａを、支持部３２側面の凸部３２ａに嵌め合わせる。
この際、詳細には、図４に示すように、クリップ４０が軸筒遠心方向から押圧されることにより、クリップ４０の両側部４２間が弾性的に拡縮して、各側部４２の凹部４２ａと支持部３２の凸部３２ａとが嵌り合う。
【００２８】
よって、図３（ｂ）に示すように、弾性部３３の後端部がクリップ４０の内面に近接もしくは接触した状態で、嵌まり合った凹部４２ａ及び凸部３２ａによってクリップ４０を揺動させるための支点部が構成される。
【００２９】
なお、他の組付け手順の一例としては、先にクリップ支持部材３０に対しクリップ４０を嵌め合わせ、その後に、クリップ４０を装着した状態のクリップ支持部材３０を、軸筒１０に対し嵌合するようにしてもよい。
この組付け手順によれば、開閉操作可能なクリップ４０とリフィール進退機構３４とを備えた構成を、ユニット化して予め作り溜めすることができる。
【００３０】
また、図３（ｂ）に示す組付け手順によれば、クリップ支持部材３０に対し軸筒遠心方向側からクリップ４０を嵌め合わせるようにしているが、他の組付け手順の一例としては、クリップ支持部材３０に対し軸筒後方側からクリップ４０を嵌め合わせるようにしてもよい。
この組付け手順によれば、クリップ支持部材３０側の弾性部３３後端とクリップ４０後端の凹部４３との嵌り合いと、クリップ支持部材３０側の凸部３２ａとクリップ４０側の凹部４２ａとの嵌り合いとを、略同時に完了させることができる。
【００３１】
上記構成の筆記具Ａによれば、クリップ４０の支持部３２よりも後部側（詳細には凹部４２ａ及び凸部３２ａよりも後方側）の部分が、軸筒１０側へ押圧されると、弾性部３３が弾性的に撓むとともに、クリップ４０における支持部３２よりも前方側が軸筒１０から離間し、クリップ４０が開放状態となる（図１（ｂ）に示す状態）。
そして、クリップ４０後部側に対する前記押圧力が解除されると、弾性部３３の復元力により、クリップ４０の後部側が軸筒１０から離間するのと同時に、同クリップ４０の前部側が軸筒１０に接近して、クリップ４０が元の閉鎖状態に戻る。
なお、図示例によれば、クリップ４０側の凹部４２ａを支持部３２側の凸部３２ａに嵌め合わせる構成としたが、その凹凸関係を逆にしてもよい。
【００３２】
次に、本発明に係わる筆記具用クリップ取付構造を備えた筆記具の他例について説明する。なお、以下に示す筆記具において、上記筆記具Ａと略同様の構成部分については詳細な説明を省略する。
【００３３】
図５に示す筆記具Ｂは、上記筆記具Ａに対し、クリップ４０をクリップ４０’に置換するとともに、支持部３２を支持部３２’に置換し、軸部材５０を加えた構成としている。
クリップ４０’は、その両側部４２’の各々に貫通孔４２ａ’を形成している。
また、支持部３２’は、前記両貫通孔４２ａ’，４２ａ’に連通するように貫通孔３２ａ’を形成している。
軸部材５０は、一端側（図５によれば左端側）に拡径された頭部を有するピン状の部材であり、前記クリップ４０’側の両貫通孔４２ａ’，４２ａ’および支持部３２’側の貫通孔３２ａ’に挿通され、その突端部がカシメられる。
よって、この筆記具Ｂによれば、軸部材５０を支点部として、クリップ４０’が揺動可能に支持されることになる。
【００３４】
また、図６に示す筆記具Ｃは、上記筆記具Ａに対し、クリップ４０をクリップ４０”に置換するとともに、支持部３２を支持部３２”に置換した構成とされる。
クリップ４０”は、表面部４１”と、その両側の側部４２”，４２”とから略平板状に形成され、裏面側において、表面部４１”と各側部４２”の接続箇所にＶ字溝４３”を有する。
そして、各側部４２”の裏面側には突起４４”が設けられている。各突起４４”は、側部４２”の裏面から略垂直に突出する軸状の部位であり、その突端側には、球状もしくは矢印状等に拡径された頭部４４ａ”を有する。
また、支持部３２”は、一方（図６によれば左側）の前記側部４２”に対応する支持片部３２ａ”と、他方（図６によれば右側）の側部４２”に対応する支持片部３２ｂ”とからなる。
支持片部３２ａ”，３２ｂ”は、互いに平行となるように軸筒１０の外周面から遠心方向へ突出している。各支持片部３２ａ”（又は３２ｂ”）には、クリップ４０”の突起４４”を挿通させるための貫通孔３２ｂ１”が設けられている。
各貫通孔３２ｂ１”は、クリップ４０”における突起４４”の頭部４４ａ”の外径よりも若干小さい内径に設定されている。
【００３５】
支持部３２”に対しクリップ４０”を組付ける際には、図６に示すように、支持部３２”上に載置されたクリップ４０”の両側部４２”が、それぞれＶ字溝４３”を境にして軸筒１０側へ折り曲げられ、各側部４２”の突起４４”が、支持部３２”側の貫通孔３２ｂ１”へ挿通される。この際、各突起４４”の頭部４４ａ”と貫通孔３２ｂ１”は、弾性的に拡縮する。
したがって、各突起４４”は、貫通孔３２ｂ１”を通り抜けた頭部４４ａ”によって、貫通孔３２ｂ１”から抜けないようになる。
よって、この筆記具Ｃによれば、両突起４４”，４４”を支点部として、クリップ４０”が揺動可能に支持される。
【００３６】
また、図７に示す筆記具Ｄは、クリップ支持部材３０における弾性部３３の後端部（換言すれば突端部）と、クリップ４０の後端部とを、撓み可能な接続部６０を介して接続するように一体成形してなる。
より詳細に説明すれば、筆記具Ｄにおけるクリップ４０は、図７に例示するように、その裏面部を軸筒遠心方向（図７における上方）へ向けた状態で、接続部６０を介して弾性部３３の後端部に接続されている。
接続部６０は、弾性部３３の後端部およびクリップ４０の後端部よりも薄肉に形成された片状の部位である。
この筆記具Ｄにおいては、接続部６０から凸部３２ａまでの距離と、同接続部６０から凹部４２ｃまでの距離とが略同等になるように、クリップ支持部材３０及び／又はクリップ４０の寸法が設定されている。
前記凹部４２ｃは、クリップ支持部３２の凸部３２ａに対する組付性や、完成後のクリップ４０の揺動性を良好にするために、凸部３２ａに対する嵌合方向へ長い凹溝状に形成されている。なお、この凹部４２ｃの他例としては、長孔であってもよい。
【００３７】
よって、上記構成の筆記具Ｄによれば、図７に示すように、接続部６０を撓ませながら、クリップ４０を、接続部６０を略中心にして反時計方向へ回動させてクリップ支持部材３０に嵌め合わせれば、クリップ４０の凹部４２ａとクリップ支持部材３０の凸部３２ａとが嵌り合い、これら凹部４２ａ及び凸部３２ａによって、クリップ４０を揺動させるための支点部が構成される。
【００３８】
また、図８に示す筆記具Ｅは、筆記具Ａにおける弾性部３３を弾性部３９に置換した構成としてある。
弾性部３９は、クリップ支持部材３０における支持部３２よりも後部側（より詳細には大径部３１ｂ）から軸筒遠心方向へ突出するスプリング状に一体成形され、その突端面によりクリップ４０の後端側内面を受ける。
よって、この筆記具Ｅによれば、クリップ４０における支持部３２よりも後部側が軸筒１０側へ押圧されると、弾性部３９が弾性的に収縮し、クリップ４０の支持部３２よりも前部側が開放する。そして、前記押圧力が解除されると、弾性部３９の弾発力により支持部３２の前部側が閉鎖する。
【００３９】
なお、上記実施の形態において、リフィール進退機構３４は、図示例の態様に限定されるものでなく、例えば、ボールペンリフィール２０を後方へ付勢するスプリングを軸筒１０の前端側に備えた態様（図示せず）等とすることも可能である。
更に、リフィール進退機構３４を省き、ボールペンリフィール２０の露出した筆記部が没入しない態様とすることも可能である。
【００４０】
また、上記実施の形態によれば、軸筒１０とは別体のクリップ支持部材３０を軸筒１０に対し装着する態様としているが、軸筒１０に対し予め支持部３２及び弾性部３３が一体成形されている態様とすることも可能である。
【図面の簡単な説明】
【００４１】
【図１】本発明に係わる筆記具用クリップ取付構造の一例を備えた筆記具の一例を示す断面図であり、（ａ）はクリップが閉じた状態を示し、（ｂ）はクリップが開いた状態を示す。
【図２】同筆記具用クリップ取付構造の一例を示す分解斜視図。
【図３】同筆記具用クリップ取付構造の組付け手順を示す側面図であり、（ａ）は軸筒に対しクリップ支持部材を装着しようとしている状態を示し、（ｂ）はクリップ支持部材に対しクリップを装着した状態を示している。
【図４】図３（ｂ）における(IV)-(IV)線に沿う要部断面図である。
【図５】本発明に係わる筆記具用クリップ取付構造の他例を示す要部断面図である。
【図６】本発明に係わる筆記具用クリップ取付構造の他例を示す要部断面図である。
【図７】本発明に係わる筆記具用クリップ取付構造の他例を示す側面図であり、要部を切欠して示している。
【図８】本発明に係わる筆記具用クリップ取付構造の他例を示す側面図である。
【符号の説明】
【００４２】
１０：軸筒
３０：クリップ支持部材
３１：軸筒接続部
３２，３２’，３２”：支持部
３２ａ：凸部
３３，３９：弾性部
４０，４０’，４０”：クリップ
６０：接続部
４２，４２’，４２”：側部
４２ａ：凹部
Ａ，Ｂ，Ｃ，Ｄ，Ｅ：筆記具
【図１】
2008173921.tif 000003
【図２】
2008173921.tif 000004
【図３】
2008173921.tif 000005
【図４】
2008173921.tif 000006
【図５】
2008173921.tif 000007
【図６】
2008173921.tif 000008
【図７】
2008173921.tif 000009
【図８】
2008173921.tif 000010